(57)【要約】      （修正有）【課題】現像器と現像カートリッジを選択的に装着することができるドラムカートリッジを提供すること。【解決手段】ドラムカートリッジ１は、感光ドラム１１と、現像ローラを有する現像器が取り付けられた第１状態と、現像ローラとトナーが収容された現像フレームとを有する現像カートリッジを着脱可能な第２状態とを取り得るドラムフレーム１３と、を備える。第１状態において、トナーカートリッジ１は、現像器に対して着脱可能となっている。【選択図】図１
2018010243.tif 000002
【特許請求の範囲】
【請求項１】
感光ドラムと、
現像ローラを有する現像器が取り付けられた第１状態と、現像ローラとトナーが収容された現像フレームとを有する現像カートリッジを着脱可能な第２状態とを取り得るドラムフレームと、を備え、
前記第１状態において、前記現像器に対して、トナーカートリッジが着脱可能である、ことを特徴とするドラムカートリッジ。
【請求項２】
前記第１状態において、前記ドラムフレームに対して前記現像器を取り付けるための取付部材を有することを特徴とする請求項１に記載のドラムカートリッジ。
【請求項３】
前記現像器を前記感光ドラムに向けて押圧する第１押圧部材と、
前記現像器を前記感光ドラムに向けて押圧する第２押圧部材であって、前記感光ドラムの回転軸線方向において前記第１押圧部材と間隔を隔てて位置する第２押圧部材と、をさらに備え、
前記取付部材は、前記第１押圧部材と前記第２押圧部材との間に位置する、ことを特徴とする請求項２に記載のドラムカートリッジ。
【請求項４】
前記取付部材は、前記ドラムフレームに接触する本体部と、前記本体部から前記第１押圧部材の押圧方向に延びる板状部であって、前記押圧方向および前記感光ドラムの回転軸線方向と直交する第１方向において前記現像器の一部に対して前記ドラムフレームの反対側に位置する板状部と、を有し、
前記本体部は、前記押圧方向において前記現像器と間隔を隔てて位置し、
前記第１方向において、前記板状部と前記ドラムフレームとの間隔は、前記現像器の前記一部の長さよりも大きい、ことを特徴とする請求項３に記載のドラムカートリッジ。
【請求項５】
前記ドラムフレームから延びるボスであって、第１穴を有するボスを備え、
前記取付部材は、第２穴を有し、
前記取付部材は、さらに、前記第１穴および前記第２穴に入るネジを有する、ことを特徴とする請求項２から請求項４のいずれか１項に記載のドラムカートリッジ。
【請求項６】
前記第２状態において、前記ドラムフレームに前記現像カートリッジが装着されたときに、前記ドラムフレームに対して前記現像カートリッジをロックするためのロック部材を有する、ことを特徴とする請求項１に記載のドラムカートリッジ。
【請求項７】
前記現像カートリッジを前記感光ドラムに向けて押圧する第１押圧部材と、
前記現像カートリッジを前記感光ドラムに向けて押圧する第２押圧部材であって、前記感光ドラムの回転軸線方向において前記第１押圧部材と間隔を隔てて位置する第２押圧部材と、さらに備え、
前記ロック部材は、前記第１押圧部材と前記第２押圧部材との間に位置する、ことを特徴とする請求項６に記載のドラムカートリッジ。
【請求項８】
前記ロック部材は、前記ドラムフレームに前記現像カートリッジが装着された状態において、前記現像カートリッジと接触し、前記ドラムフレームに対して前記現像カートリッジをロックする第１位置と、前記現像カートリッジから離間し、前記ドラムフレームから前記現像カートリッジを離脱可能にする第２位置と、に移動可能である、ことを特徴とする請求項７に記載のドラムカートリッジ。
【請求項９】
前記ロック部材は、前記ドラムフレームに接触する本体部と、前記本体部に支持されるレバーと、を有し、
前記レバーは、前記第１位置と、前記第２位置と、に移動可能である、ことを特徴とする請求項８に記載のドラムカートリッジ。
【請求項１０】
前記ドラムフレームから延びるボスであって、第１穴を有するボスを備え、
前記ロック部材は、第３穴を有し、
前記ロック部材は、さらに、前記第１穴および前記第３穴に入るネジを有する、ことを特徴とする請求項６から請求項９のいずれか１項に記載のドラムカートリッジ。
【請求項１１】
前記第１状態において、前記ドラムフレームに対して前記現像器を取り付けるための取付部材を有し、
前記第２状態において、前記ドラムフレームに前記現像カートリッジが装着されたときに、前記ドラムフレームに対して前記現像カートリッジをロックするためのロック部材を有し、
前記感光ドラムの回転軸線方向における前記取付部材の長さは、前記感光ドラムの回転軸線方向における前記ロック部材の長さよりも長い、ことを特徴とする請求項１に記載のドラムカートリッジ。
【発明の詳細な説明】
【技術分野】
【０００１】
本発明は、感光ドラムを有するドラムカートリッジに関する。
【背景技術】
【０００２】
従来、現像カートリッジが着脱可能となるドラムカートリッジが知られている（特許文献１参照）。具体的に、この技術では、現像カートリッジが、現像ローラを有する現像器とトナーを収容するトナー収容部とを一体に有する、一体型の現像カートリッジとなっている。
【先行技術文献】
【特許文献】
【０００３】
【特許文献１】特開２０１５−１４６０１６号公報
【発明の概要】
【発明が解決しようとする課題】
【０００４】
ところで、現像カートリッジは、現像ローラを有する現像器と、トナーを収容したトナー収容部とがそれぞれ別部品で構成された、分離型の現像カートリッジとして構成される場合がある。この場合には、現像器が取付可能となるようにドラムカートリッジの形状を構成する必要がある。
【０００５】
しかしながら、一体型の現像カートリッジと、分離型の現像カートリッジを、１つの画像形成装置で使用したい場合には、一体型の現像カートリッジと分離型の現像カートリッジの現像器のそれぞれに対応するようにドラムカートリッジを構成しなければならず、コストが高くなるといった問題がある。
【０００６】
そこで、本発明は、現像器と現像カートリッジを選択的に装着することができるドラムカートリッジを提供することを目的とする。
【課題を解決するための手段】
【０００７】
前記課題を解決するため、本発明に係るドラムカートリッジは、感光ドラムと、現像ローラを有する現像器が取り付けられた第１状態と、現像ローラとトナーが収容された現像フレームとを有する現像カートリッジを着脱可能な第２状態とを取り得るドラムフレームと、を備える。
前記第１状態において、トナーカートリッジは、前記現像器に対して着脱可能となっている。
【０００８】
この構成によれば、ドラムフレームが、現像器が取り付けられた第１状態と、現像カートリッジを着脱可能な第２状態とを取り得るので、現像器と現像カートリッジを、同一のドラムカートリッジに選択的に装着することができる。そのため、現像器および現像カートリッジのそれぞれに対応したドラムカートリッジを用意する場合に比べ、コストの低下を図ることができる。
【０００９】
また、前記したドラムカートリッジは、前記第１状態において、前記ドラムフレームに対して前記現像器を取り付けるための取付部材を有していてもよい。
【００１０】
また、前記したドラムカートリッジは、前記現像器を前記感光ドラムに向けて押圧する第１押圧部材と、前記現像器を前記感光ドラムに向けて押圧する第２押圧部材であって、前記感光ドラムの回転軸線方向において前記第１押圧部材と間隔を隔てて位置する第２押圧部材と、をさらに備え、前記取付部材は、前記第１押圧部材と前記第２押圧部材との間に位置していてもよい。
【００１１】
また、前記取付部材は、前記ドラムフレームに接触する本体部と、前記本体部から前記第１押圧部材の押圧方向に延びる板状部であって、前記押圧方向および前記感光ドラムの回転軸線方向と直交する第１方向において前記現像器の一部に対して前記ドラムフレームの反対側に位置する板状部と、を有し、前記本体部は、前記押圧方向において前記現像器と間隔を隔てて位置し、前記第１方向において、前記板状部と前記ドラムフレームとの間隔は、前記現像器の前記一部の長さよりも大きくてもよい。
【００１２】
これによれば、現像器を押圧方向に動きやすくすることができる。
【００１３】
また、前記したドラムカートリッジは、前記ドラムフレームから延びるボスであって、第１穴を有するボスを備え、前記取付部材は、第２穴を有し、前記取付部材は、さらに、前記第１穴および前記第２穴に入るネジを有していてもよい。
【００１４】
また、前記したドラムカートリッジは、前記第２状態において、前記ドラムフレームに前記現像カートリッジが装着されたときに、前記ドラムフレームに対して前記現像カートリッジをロックするためのロック部材を有していてもよい。
【００１５】
また、前記したドラムカートリッジは、前記現像カートリッジを前記感光ドラムに向けて押圧する第１押圧部材と、前記現像カートリッジを前記感光ドラムに向けて押圧する第２押圧部材であって、前記感光ドラムの回転軸線方向において前記第１押圧部材と間隔を隔てて位置する第２押圧部材と、さらに備え、前記ロック部材は、前記第１押圧部材と前記第２押圧部材との間に位置していてもよい。
【００１６】
また、前記ロック部材は、前記ドラムフレームに前記現像カートリッジが装着された状態において、前記現像カートリッジと接触し、前記ドラムフレームに対して前記現像カートリッジをロックする第１位置と、前記現像カートリッジから離間し、前記ドラムフレームから前記現像カートリッジを離脱可能にする第２位置と、に移動可能であってもよい。
【００１７】
また、前記ロック部材は、前記ドラムフレームに接触する本体部と、前記本体部に支持されるレバーと、を有し、前記レバーは、前記第１位置と、前記第２位置と、に移動可能であってもよい。
【００１８】
また、前記したドラムカートリッジは、前記ドラムフレームから延びるボスであって、第１穴を有するボスを備え、前記ロック部材は、第３穴を有し、前記ロック部材は、さらに、前記第１穴および前記第３穴に入るネジを有していてもよい。
【００１９】
また、前記したドラムカートリッジは、前記第１状態において、前記ドラムフレームに対して前記現像器を取り付けるための取付部材を有し、前記第２状態において、前記ドラムフレームに前記現像カートリッジが装着されたときに、前記ドラムフレームに対して前記現像カートリッジをロックするためのロック部材を有し、前記感光ドラムの回転軸線方向における前記取付部材の長さは、前記感光ドラムの回転軸線方向における前記ロック部材の長さよりも長くてもよい。
【発明の効果】
【００２０】
本発明によれば、現像器と現像カートリッジを選択的に装着することができるドラムカートリッジを提供することができる。
【図面の簡単な説明】
【００２１】
【図１】本実施形態に係るドラムカートリッジを示す斜視図である。
【図２】現像器を示す斜視図である。
【図３】第１状態のドラムカートリッジを示す斜視図である。
【図４】トナーカートリッジを示す斜視図である。
【図５】ドラムカートリッジ、現像器およびトナーカートリッジで構成される第１プロセスカートリッジを示す斜視図である。
【図６】現像カートリッジを示す斜視図である。
【図７】第２状態において、ドラムカートリッジから現像カートリッジが外された状態を示す斜視図である。
【図８】第２状態において、ドラムカートリッジに現像カートリッジを装着した状態を示す斜視図である。
【図９】取付部材を示す斜視図である。
【図１０】取付部材の板状部と第１被係合部との関係を示す断面図である。
【図１１】ロック部材を分解して示す分解斜視図である。
【発明を実施するための形態】
【００２２】
次に、本発明の実施形態について、適宜図面を参照しながら詳細に説明する。
図１に示すように、ドラムカートリッジ１は、感光ドラム１１と、感光ドラム１１を帯電する帯電器１２と、感光ドラム１１および帯電器１２を支持するドラムフレーム１３と、を備えている。ドラムフレーム１３は、樹脂からなっている。
【００２３】
ドラムフレーム１３は、図２に示す現像器２０が取り付けられた第１状態（図３の状態）と、図６に示す現像カートリッジ３０を着脱可能な第２状態（図７および図８の状態）とを取り得るようになっている。また、図４に示すトナーカートリッジ４０は、ドラムフレーム１３が第１状態（図３の状態）であるときに、ドラムフレーム１３に取り付けられた現像器２０に対して着脱可能となっている（図５参照）。つまり、共通のドラムフレーム１３を用いて、図５に示す第１プロセスカートリッジＰ１と、図８に示す第２プロセスカートリッジＰ２の両方を製造することが可能となっている。
【００２４】
ここで、本明細書において、「現像器が取り付けられた第１状態」とは、ネジで固定するなど、ユーザがドライバーなどの道具を用いなければドラムフレームから現像器を簡単には着脱できない状態をいう。また、「現像カートリッジを着脱可能な第２状態」とは、ユーザが道具を用いなくても簡単にドラムフレームから現像カートリッジを着脱できる状態をいう。
【００２５】
図２に示すように、現像器２０は、現像ローラ２１と、層厚規制ブレード２２と、図示せぬ供給ローラと、現像ローラ２１等を支持する現像器フレーム２３とを有している。現像器フレーム２３は、樹脂からなっている。現像器フレーム２３は、一端部に現像ローラ２１および層厚規制ブレード２２を有し、他端部に図４に示すトナーカートリッジ４０を保持するための案内溝２４および保持レバー２５が設けられている。
【００２６】
案内溝２４は、略中空円柱状のトナーカートリッジ４０の各端面に設けられる突起４１（図４参照）を案内する溝である。案内溝２４は、突起４１を外部から案内溝２４内に差し込むための差込口２４Ａを有している。案内溝２４は、突起４１を差込口２４Ａから外部に引き出すことが可能な第１姿勢と、突起４１を第１姿勢から略９０°回動した第２姿勢とに回動可能に支持している。突起４１は、第２姿勢において、差込口２４Ａから引き出すことが不能となっている。
【００２７】
保持レバー２５は、トナーカートリッジ４０の一端面に設けられる被係合突起４２に係合する第３姿勢と、トナーカートリッジ４０の被係合突起４２から外れる第４姿勢とに回動可能となっている。保持レバー２５は、図示せぬバネによって第３姿勢に付勢されている。保持レバー２５は、突起４１を第２姿勢にしたときに、トナーカートリッジ４０の被係合突起４２に係合して保持するように構成されている。
【００２８】
そして、このような案内溝２４および保持レバー２５を有する現像器フレーム２３の他端部に対して、トナーカートリッジ４０が着脱可能となっている。なお、トナーカートリッジ４０は、トナーを収容するトナー収容室と、トナー収容室内のトナーを攪拌するアジテータとを備えている。
【００２９】
現像器フレーム２３の他端部には、平板状の２つの第１被係合部２６が設けられている。各第１被係合部２６は、現像ローラ２１の回転軸線方向において、間隔を空けて位置している。各第１被係合部２６は、現像ローラ２１から離れる方向に向けて現像器フレーム２３から突出している。
【００３０】
現像器フレーム２３の一端部には、回転軸線方向外側に突出する２つの被ガイド部２７が形成されている。被ガイド部２７は、現像ローラ２１の回転軸線を中心とする円筒状に形成されている。
【００３１】
図６に示すように、現像カートリッジ３０は、現像ローラ３１と、層厚規制ブレード３２と、図示せぬ供給ローラと、トナーを収容するトナー収容室を有する現像フレーム３３と、図示せぬアジテータとを備えている。つまり、現像カートリッジ３０は、現像器とトナーカートリッジとが一体に構成された一体型の現像カートリッジとなっている。
【００３２】
現像フレーム３３は、樹脂からなっている。現像フレーム３３は、一端部に現像ローラ３１および層厚規制ブレード３２を有し、他端部に第２被係合部３６を有している。第２被係合部３６は、現像ローラ３１の回転軸線方向において、現像フレーム３３の中央部に位置している。第２被係合部３６は、現像ローラ３１から離れる方向に向けて現像フレーム３３から突出している。
【００３３】
また、現像フレーム３３の他端部には、現像ローラ３１から離れる方向に向けて現像フレーム３３から突出するハンドル３８が設けられている。ハンドル３８は、２つの第１部分３８Ａと、１つの第２部分３８Ｂとを有している。各第１部分３８Ａは、現像フレーム３３から突出している。各第１部分３８Ａは、回転軸線方向に離れている。第２部分３８Ｂは、各第１部分３８Ａの現像ローラ３１とは反対側の端部を連結している。第２部分３８Ｂは、回転軸線方向における中央部に、現像ローラ３１から離れる方向に向けて凹む凹部３８Ｃを有している。
【００３４】
現像フレーム３３の一端部には、回転軸線方向外側に突出する２つの被ガイド部３７が形成されている。被ガイド部３７は、現像ローラ３１の回転軸線を中心とする円筒状に形成されている。
【００３５】
図１に示すように、ドラムフレーム１３は、前述した現像器２０または現像カートリッジ３０を収容するための収容凹部１３Ａを有している。詳しくは、ドラムフレーム１３は、収容凹部１３Ａの底を構成する略矩形の底壁１４と、底壁１４のうち感光ドラム１１の回転軸線方向における両端部から一方に向けて延びる２つの側壁１５と、各側壁１５と底壁１４とを繋ぐ第１連結壁１６および第２連結壁１７とを有している。
【００３６】
各側壁１５は、感光ドラム１１をその軸方向において挟んで支持している。側壁１５は、現像器２０の被ガイド部２７または現像カートリッジ３０の被ガイド部３７を感光ドラム１１に向けて案内するためのガイド面１５Ａを有している。また、側壁１５は、被ガイド部２７，３７が底壁１４に直交する方向に移動するのを規制するための保持溝１５Ｂを有している。保持溝１５Ｂは、ガイド面１５Ａの感光ドラム１１側の端部に位置している。
【００３７】
感光ドラム１１は、ドラムフレーム１３の第１連結壁１６側の端部に位置している。底壁１４の第２連結壁１７側の端部には、第１押圧部材５１、第２押圧部材５２、ボス１８およびリブ１９が設けられている。
【００３８】
第１押圧部材５１は、現像器２０または現像カートリッジ３０を感光ドラム１１に向けて押圧する部材である。第１押圧部材５１は、図示せぬバネにより、感光ドラム１１に向けて付勢されている。
【００３９】
第２押圧部材５２は、現像器２０または現像カートリッジ３０を感光ドラム１１に向けて押圧する部材である。第２押圧部材５２は、図示せぬバネにより、感光ドラム１１に向けて付勢されている。第２押圧部材５２は、感光ドラム１１の回転軸線方向において第１押圧部材５１と間隔を隔てて位置している。詳しくは、第１押圧部材５１は、底壁１４の回転軸線方向の一端部に位置し、第２押圧部材５２は、底壁１４の回転軸線方向の他端部に位置している。
【００４０】
ボス１８は、底壁１４から収容凹部１３Ａの開口に向けて延びている。ボス１８は、回転軸線方向において、第１押圧部材５１と第２押圧部材５２の間に位置している。詳しくは、ボス１８は、底壁１４の回転軸線方向の中央部に位置している。より詳しくは、第１押圧部材５１、ボス１８および第２押圧部材５２は、回転軸線方向に沿った直線上に並んでいる。
【００４１】
ボス１８は、円筒状であり、内部に第１穴１８Ａを有している。この第１穴１８Ａは、図３に示す取付部材６０または図７に示すロック部材７０をドラムフレーム１３に取り付けるためのネジＳを捩じ込むことが可能となっている。つまり、ボス１８は、取付部材６０とロック部材７０とを選択的に取り付けることが可能となっている。
【００４２】
ネジＳは、取付部材６０およびロック部材７０の取り付けに使用される共用のネジとなっている。図３の第１状態においては、取付部材６０がネジＳを有している。また、図７の第２状態においては、ロック部材７０がネジＳを有している。
【００４３】
リブ１９は、ロック部材７０の一部（詳しくは、後述する本体部７１）をドラムフレーム１３に対して位置決めするためのリブである。リブ１９は、底壁１４から収容凹部１３Ａの開口に向けて突出している。リブ１９は、ボス１８に対して回転軸線方向の一方側に位置する第１リブ１９Ａと、第１リブ１９Ａの感光ドラム１１側の端部から回転軸線方向の他方側に向けて延びる第２リブ１９Ｂとを有している。第１リブ１９Ａおよび第２リブ１９Ｂは、後述するロック部材７０の本体部７１の外周縁に倣った形状となっている。第２リブ１９Ｂには、ロック部材７０の一部（後述する係合部７１Ｂ：図１１参照）が嵌め込まれる切欠部１９Ｃが形成されている。
【００４４】
図３に示すように、取付部材６０は、第１状態において、ドラムフレーム１３に対して現像器２０を取り付けるための部材である。つまり、ドラムカートリッジ１は、第１状態において、取付部材６０を有している。取付部材６０の回転軸線方向における長さは、後述するロック部材７０の回転軸線方向における長さ（最大長さ）よりも長い。
【００４５】
取付部材６０は、樹脂からなっている。取付部材６０は、第１押圧部材５１と第２押圧部材５２との間に位置している（図１参照）。言い換えると、第１押圧部材５１、取付部材６０および第２押圧部材５２は、回転軸線方向に沿った直線上に並んでいる。
【００４６】
図９に示すように、取付部材６０は、ドラムフレーム１３の底壁１４に接触する本体部６１と、本体部６１から第１押圧部材５１の押圧方向に延びる板状部６２と、本体部６１から押圧方向とは逆方向に延びる延出部６３とを有している。
【００４７】
本体部６１は、回転軸線方向に長い直方体状に形成されている。本体部６１の底壁１４側の面には、前述したリブ１９が入り込む、図示せぬ凹部が形成されている。図１０に示すように、本体部６１は、押圧方向において現像器２０と間隔を隔てて位置している。
【００４８】
図９に戻って、板状部６２は、本体部６１のドラムフレーム１３（詳しくは底壁１４）とは反対側の端部から押圧方向に向けて延びている。板状部６２の回転軸線方向の中央部には、板状部６２からドラムフレーム１３の底壁１４側に向けて延びる突出部６４が形成されている。
【００４９】
突出部６４の回転軸線方向の長さは、図２に示す現像器２０の各第１被係合部２６の間の間隔よりも小さい。そして、突出部６４は、現像器２０が取付部材６０によってドラムフレーム１３に取り付けられた状態において、現像器２０の各第１被係合部２６の間に入り込んでいる。これにより、現像器２０の回転軸線方向の移動が、突出部６４によって規制されている。
【００５０】
図１０に示すように、板状部６２は、現像器２０が取付部材６０によってドラムフレーム１３に取り付けられた状態において、現像器２０の一部である第１被係合部２６に対してドラムフレーム１３の底壁１４の反対側に位置している。詳しくは、板状部６２は、押圧方向および回転軸線方向と直交する第１方向において、第１被係合部２６に対してドラムフレーム１３の底壁１４の反対側に位置している。言い換えると、板状部６２、第１被係合部２６および底壁１４は、第１方向に沿った直線上に並んでいる。
【００５１】
第１方向において、板状部６２とドラムフレーム１３の底壁１４との間隔は、第１被係合部２６の長さ（厚さ）よりも大きい。詳しくは、第１被係合部２６は、板状部６２から僅かな第１間隔を空けて位置するとともに、ドラムフレーム１３の底壁１４から第１間隔よりも大きな第２間隔を空けて位置している。
【００５２】
図９に戻って、延出部６３は、本体部６１のドラムフレーム１３（詳しくは底壁１４）とは反対側の端部から押圧方向とは逆方向に向けて延びている。板状部６２、本体部６１および延出部６３のドラムフレーム１３の底壁１４とは反対側の各面は、互いに滑らかに繋がった１つの傾斜面６０Ａとなっている。傾斜面６０Ａは、押圧方向に向かうにつれてドラムフレーム１３の底壁１４に近づくように傾斜した曲面となっている。傾斜面６０Ａは、トナーカートリッジ４０（図１０参照）の外周面に沿っている。
【００５３】
延出部６３の回転軸線方向の中央部には、ドラムフレーム１３の底壁１４側に向けて凹む凹部６３Ａが形成されている。凹部６３Ａの底壁６３Ｂは、前述したネジＳ（図３参照）が入り込む第２穴６３Ｃを有している。延出部６３の本体部６１とは反対側の端部には、底壁１４から離れる方向に突出する突起６５が形成されている。
【００５４】
図７および図８に示すように、ロック部材７０は、第２状態において、ドラムフレーム１３に現像カートリッジ３０が装着されたときに、ドラムフレーム１３に対して現像カートリッジ３０をロックするための部材である。つまり、ドラムカートリッジ１は、第２状態において、ロック部材７０を有している。
【００５５】
ロック部材７０は、第１押圧部材５１と第２押圧部材５２との間に位置している。言い換えると、第１押圧部材５１、ロック部材７０および第２押圧部材５２は、回転軸線方向に沿った直線上に並んでいる。
【００５６】
図１１に示すように、ロック部材７０は、樹脂からなる本体部７１と、樹脂からなるレバー７２と、本体部７１とレバー７２の間に設けられる金属製のトーションバネ７３とを備えている。
【００５７】
本体部７１は、略板状のベース部７１Ａと、ベース部７１Ａの感光ドラム１１側の端部からドラムフレーム１３の底壁１４に向けて延びる係合部７１Ｂと、ベース部７１Ａの感光ドラム１１とは反対側の端部から係合部７１Ｂの延出方向とは反対方向に延びる突出片７１Ｃとを有している。ベース部７１Ａは、底壁１４に向けて凹む凹部７１Ｄを有している。
【００５８】
凹部７１Ｄの底壁部７１Ｅは、突出片７１Ｃ側の端部に、底壁１４から離れる方向に膨出する膨出部７１Ｆを有している。膨出部７１Ｆの先端部は、前述したネジＳ（図７参照）が入り込む第３穴７１Ｇを有している。これにより、本体部７１が、ネジＳによってドラムフレーム１３に取り付けられている（図７参照）。
【００５９】
凹部７１Ｄは、回転軸線方向で対向する２つの側壁部７１Ｈ，７１Ｊを有している。各側壁部７１Ｈ，７１Ｊの間には、レバー７２を回動可能に支持する軸部７１Ｋが設けられている。軸部７１Ｋは、各側壁部７１Ｈ，７１Ｊに連結されている。
【００６０】
レバー７２は、軸部７１Ｋに回動可能に係合する軸受部７２Ａと、現像カートリッジ３０の第２被係合部３６（図６参照）に係合するフック部７２Ｂと、軸受部７２Ａとフック部７２Ｂとを連結する連結部７２Ｃと、連結部７２Ｃから第１押圧部材５１側（図７参照）に向けて延出する延出部７２Ｄと、延出部７２Ｄから底壁１４側に延びた後、感光ドラム１１側に向けて延びる押上部７２Ｅとを有している。レバー７２は、ドラムフレーム１３に現像カートリッジ３０が装着された状態において、フック部７２Ｂが現像カートリッジ３０の第２被係合部３６に接触する第１位置と、フック部７２Ｂが現像カートリッジ３０の第２被係合部３６から離間する第２位置とに回動可能となっている。
【００６１】
そして、レバー７２は、第１位置においてドラムフレーム１３に対して現像カートリッジ３０をロックしている。また、レバー７２は、第２位置において、ドラムフレーム１３から現像カートリッジ３０を離脱可能にしている。また、レバー７２を第１位置から第２位置に回動させると、押上部７２Ｅの先端部がドラムフレーム１３の底壁１４から離れる方向に移動して、現像カートリッジ３０を底壁１４から離れる方向に押し上げる。
【００６２】
図８に示すように、レバー７２は、現像カートリッジ３０がドラムフレーム１３に装着された状態において、現像フレーム３３とハンドル３８の間に位置する。また、現像カートリッジ３０がドラムフレーム１３に装着された状態において、レバー７２が第２位置に位置するときに、レバー７２のフック部７２Ｂの一部が、ハンドル３８の凹部３８Ｃに入り込んでいる。
【００６３】
トーションバネ７３は、一端部７３Ａが本体部７１に係合し、他端部７３Ｂがレバー７２に係合している。トーションバネ７３は、レバー７２を第１位置に付勢している。
【００６４】
次に、第１プロセスカートリッジＰ１および第２プロセスカートリッジＰ２の組立方法（製造方法）について説明する。まず、第１プロセスカートリッジＰ１の組立方法について説明する。
【００６５】
まず、図１に示すドラムフレーム１３のガイド面１５Ａ上に、図２に示す現像器２０の被ガイド部２７を滑らせながら現像器２０を移動させ、被ガイド部２７を保持溝１５Ｂ内に配置する。その後、図１〜図３に示すように、現像器２０の第１被係合部２６が、ドラムフレーム１３の底壁１４と取付部材６０との間で挟み込まれるように、ドラムフレーム１３のボス１８に、取付部材６０をネジＳによって取り付ける。
【００６６】
これにより、現像器２０が取付部材６０によってドラムフレーム１３に取り付けられる。その後、図４に示すトナーカートリッジ４０を、ドラムフレーム１３に取り付けられた現像器２０に装着することで、図５に示すように、第１プロセスカートリッジＰ１の組立作業が完了する。
【００６７】
次に、第２プロセスカートリッジＰ２の組立方法について説明する。
図１および図７に示すように、まず、ドラムフレーム１３のボス１８に、ロック部材７０の本体部７１をネジＳによって取り付ける。その後、図７に示すドラムフレーム１３のガイド面１５Ａ上に、図６に示す現像カートリッジ３０の被ガイド部３７を滑らせながら現像カートリッジ３０を移動させ、被ガイド部３７を保持溝１５Ｂ内に配置する。その後、現像カートリッジ３０の第２被係合部３６をロック部材７０のレバー７２に向けて押し付ける。これにより、レバー７２が、第１位置から第２位置に付勢力に抗して移動した後、図８に示すように、付勢力によって再び第１位置に戻って第２被係合部３６に係合する。以上の作業によって、第２プロセスカートリッジＰ２の組立作業が完了する。
【００６８】
以上によれば、本実施形態において以下のような効果を得ることができる。
ドラムフレーム１３が、現像器２０が取り付けられた第１状態と、現像カートリッジ３０を着脱可能な第２状態とを取り得るので、現像器２０と現像カートリッジ３０を、同一のドラムカートリッジ１に選択的に装着することができる。そのため、現像器２０および現像カートリッジ３０のそれぞれに対応したドラムカートリッジを用意する場合に比べ、コストの低下を図ることができる。
【００６９】
取付部材６０の板状部６２とドラムフレーム１３の底壁１４との間隔が、現像器２０の第１被係合部２６の厚さより大きいので、現像器２０を押圧方向に動きやすくすることができる。
【００７０】
なお、本発明は前記実施形態に限定されることなく、以下に例示するように様々な形態で利用できる。
【００７１】
前記実施形態では、現像カートリッジ３０に係合するレバー７２を回動可能に構成したが、本発明はこれに限定されず、現像カートリッジに係合する係合部分を、例えば直線的に第１位置と第２位置とに移動可能となるように構成してもよい。
【符号の説明】
【００７２】
１      ドラムカートリッジ
１１    感光ドラム
１３    ドラムフレーム
２０    現像器
２１    現像ローラ
３０    現像カートリッジ
３１    現像ローラ
３３    現像フレーム
４０    トナーカートリッジ
【図１】
2018010243.tif 000003
【図２】
2018010243.tif 000004
【図３】
2018010243.tif 000005
【図４】
2018010243.tif 000006
【図５】
2018010243.tif 000007
【図６】
2018010243.tif 000008
【図７】
2018010243.tif 000009
【図８】
2018010243.tif 000010
【図９】
2018010243.tif 000011
【図１０】
2018010243.tif 000012
【図１１】
2018010243.tif 000013